(57)【要約】【課題】  ネットワークインタフェースがなく、ローカルインタフェースしか持たない装置でも、複数の装置間で登録データを同一にでき、装置のユーザが入力した登録データをバックアップ可能とする。【解決手段】  コンピュータと１対１で接続可能なインタフェースを持つ情報通信装置において、前記コンピュータからのファイル処理要求に対して、ファイル名取得要求かファイル情報取得要求かファイルに対するアクセス要求かを判断するファイル処置判断手段と、前記コンピュータに対して常に固定のファイル名を見せるためのファイル名返却手段を有し、前記コンピュータから前記インタフェースを通してファイル名取得要求がきた時、前記ファイル処理判断手段を用いてファイル名取得要求である事を前記情報通信装置が判断し、前記ファイル名返却手段を用いて固定のファイル名を前記コンピュータに返却する。【選択図】  図３
2006285737.tif 000002
【特許請求の範囲】
【請求項１】
コンピュータと、１対１で接続可能なインタフェース持ち、前記インタフェースを用いてファイルの読み書きが可能な情報通信装置において、
前記コンピュータからのファイル処理要求に対して、ファイル名取得要求かファイル情報取得要求かファイルに対するアクセス要求かを判断するファイル処置判断手段と、
前記コンピュータに対して常に固定のファイル名を見せるためのファイル名返却手段を有し、
前記コンピュータから前記インタフェースを通してファイル名取得要求がきた時、前記ファイル処理判断手段を用いてファイル名取得要求である事を前記情報通信装置が判断し、前記ファイル名返却手段を用いて固定のファイル名を前記コンピュータに返却する事を特徴とする情報通信装置。
【請求項２】
コンピュータと、１対１で接続可能なインタフェース持ち、前記インタフェースを用いてファイルの読み書きが可能な情報通信装置において、
前記コンピュータからのファイル処理要求に対して、ファイル名取得要求かファイル情報取得要求かファイルに対するアクセス要求かを判断するファイル処置判断手段と、
前記コンピュータに対して、常に固定のファイル情報を見せるためのファイル情報返却手段を有し、
前記コンピュータから前記インタフェースを通してファイル情報取得要求がきた時、前記ファイル処理判断手段を用いてファイル情報取得要求である事を前記情報通信装置が判断し、前記ファイル情報返却手段を用いて固定のファイル情報を前記コンピュータに返却する事を特徴とする情報通信装置。
【請求項３】
コンピュータと、１対１で接続可能なインタフェース持ち、前記インタフェースを用いてファイルの読み書きが可能な情報通信装置において、
前記コンピュータからのファイル処理要求に対して、ファイル名取得要求かファイル情報取得要求かファイルに対するアクセス要求かを判断するファイル処置判断手段と、
前記情報通信装置の登録情報を共通フォーマットに変換する共通フォーマット変換手段と、
前記共通フォーマットを前記インタフェースで出力可能な形式に変換するインタフェース変換手段を有し、
前記コンピュータから前記インタフェースを通してファイルの読み出し要求がきた時、前記ファイル処理判断手段を用いてファイル読み込み要求である事を前記情報通信装置が判断し、前記共通フォーマット変換手段により前記情報通信装置の登録情報を共通フォーマットに変換し、前記インタフェースを変換手段により前記コンピュータとのインタフェースに対応した形式に変換することを特徴とする情報通信装置。
【請求項４】
コンピュータと、１対１で接続可能なインタフェース持ち、前記インタフェースを用いてファイルの読み書きが可能な情報通信装置において、
前記コンピュータからのファイル処理要求に対して、ファイル名取得要求かファイル情報取得要求かファイルに対するアクセス要求かを判断するファイル処置判断手段と、
前記インタフェースより入力された形式を前記情報通信装置の共通フォーマットに変換するインタフェース変換手段と、
前記共通フォーマットの内容を解析し、前記情報通信装置に登録するための登録手段を有し、
前記コンピュータから前記インタフェースを通してファイルの書き込み要求がきた時、前記ファイル処理判断手段を用いてファイル書き込み要求である事を前記情報通信装置が判断し、前記インタフェース変換手段により、前記インタフェースより入力された形式を前記情報通信装置の共通フォーマットに変換し、前記登録手段により前記情報通信装置にデータを登録することを特徴とする情報通信装置。
【請求項５】
請求項１から４の全て又は、複数の組み合わせを有する事を特徴とする情報通信装置。
【請求項６】
コンピュータと、１対１で接続可能なローカルインタフェースと、コンピュータとネットワークで接続可能なネットワークインタフェースを持ち、前記それぞれのインタフェースを用いてデータの入出力可能な情報通信装置において、
請求項３の共通フォーマット変換手段を前記ローカルインタフェースからのデータ読み出し要求と、前記ネットワークインタフェースからのデータ読み出し要求で共用する事を特徴とする情報通信装置。
【請求項７】
コンピュータと、１対１で接続可能なローカルインタフェースと、コンピュータとネットワークで接続可能なネットワークインタフェースを持ち、前記それぞれのインタフェースを用いてデータの入出力可能な情報通信装置において、
請求項４の登録手段を前記ローカルインタフェースからのデータ書き込み要求と、前記ネットワークインタフェースからのデータ書き込み要求で共用する事を特徴とする情報通信装置。
【請求項８】
請求項６と７の両方を同時に持つことを特徴とする情報通信装置。
【請求項９】
請求項１の情報通信装置において
インタフェースが有効か無効かを判断するインタフェース有効判断手段を有し、
前記インタフェース有効判断手段でインタフェースが有効であると判断された場合、請求項１の動作を行う事を特徴とする情報通信装置。
【請求項１０】
請求項２の情報通信装置において
インタフェースが有効か無効かを判断するインタフェース有効判断手段を有し、
前記インタフェース有効判断手段でインタフェースが有効であると判断された場合、請求項２の動作を行う事を特徴とする情報通信装置。
【請求項１１】
請求項３の情報通信装置において
インタフェースが有効か無効かを判断するインタフェース有効判断手段を有し、
前記インタフェース有効判断手段でインタフェースが有効であると判断された場合、請求項３の動作を行う事を特徴とする情報通信装置。
【請求項１２】
請求項４の情報通信装置において
インタフェースが有効か無効かを判断するインタフェース有効判断手段を有し、
前記インタフェース有効判断手段でインタフェースが有効であると判断された場合、請求項４の動作を行う事を特徴とする情報通信装置。
【請求項１３】
請求項５の情報通信装置において
インタフェースが有効か無効かを判断するインタフェース有効判断手段を有し、
前記インタフェース有効判断手段でインタフェースが有効であると判断された場合、請求項５の動作を行う事を特徴とする情報通信装置。
【請求項１４】
請求項６の情報通信装置において
前記ローカルインタフェースが有効か無効かを判断するローカルインタフェース有効判断手段と、
前記ネットワークインタフェースが有効か無効かを判断するネットワークインタフェース有効判断手段を有し、
前記ローカルインタフェース有効判断手段でローカルインタフェースが有効であると判断された場合、前記ローカルインタフェースのみ請求項６の動作を行い、前記ネットワークインタフェース有効判断手段でネットワークインタフェースが有効であると判断された場合、前記ネットワークインタフェースのみ請求項６の動作を行い、前記ローカルインタフェース有効判断手段と前記ネットワークインタフェース有効判断手段のそれぞれで、インタフェースが有効であると判断された場合、請求項６の動作を前記ローカルインタフェースおよび前記ネットワークインタフェースで行う事を特徴とする情報通信装置。
【請求項１５】
請求項７の情報通信装置において
前記ローカルインタフェースが有効か無効かを判断するローカルインタフェース有効判断手段と、
前記ネットワークインタフェースが有効か無効かを判断するネットワークインタフェース有効判断手段を有し、
前記ローカルインタフェース有効判断手段でローカルインタフェースが有効であると判断された場合、前記ローカルインタフェースのみ請求項７の動作を行い、前記ネットワークインタフェース有効判断手段でネットワークインタフェースが有効であると判断された場合、前記ネットワークインタフェースのみ請求項７の動作を行い、前記ローカルインタフェース有効判断手段と前記ネットワークインタフェース有効判断手段のそれぞれで、インタフェースが有効であると判断された場合、請求項７の動作を前記ローカルインタフェースおよび前記ネットワークインタフェースで行う事を特徴とする情報通信装置。
【請求項１６】
請求項１４と１５の両方を同時に持つことを特徴とする情報通信装置。
【請求項１７】
請求項１または９の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項１または９の動作を行う事を特徴とする情報通信装置。
【請求項１８】
請求項２または１０の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項２または１０の動作を行う事を特徴とする情報通信装置。
【請求項１９】
請求項３または１１の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項３または１１の動作を行う事を特徴とする情報通信装置。
【請求項２０】
請求項４または１２の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項４または１２の動作を行う事を特徴とする情報通信装置。
【請求項２１】
請求項５または１３の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項５または１３の動作を行う事を特徴とする情報通信装置。
【請求項２２】
請求項６または１４の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項６または１４の動作を行う事を特徴とする情報通信装置。
【請求項２３】
請求項７または１５の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項７または１５の動作を行う事を特徴とする情報通信装置。
【請求項２４】
請求項８または１６の情報通信装置において、
前記情報通信装置に対する認証情報を前記情報通信装置に登録しておく、認証情報登録手段と、
前記インタフェースより送られてくる認証情報を比較する認証情報比較手段を有し、
前記認証情報比較手段により前記インタフェースより送られてくる認証情報と前記認証情報登録手段により登録されている前記認証情報を比較し、一致していた場合のみ請求項８または１６の動作を行う事を特徴とする情報通信装置。
【請求項２５】
請求項１から２４の情報通信装置において、
前記コンピュータと１対１で接続可能なインタフェースは、USB(Universal Serial Bus)である事を特徴とする情報通信装置。
【発明の詳細な説明】
【技術分野】
【０００１】
本発明は、ネットワークインタフェースとローカルインタフェースまたは、ローカルインタフェースのみを持ち、それぞれのインタフェースからの装置情報の入出力要求に対するシステム及びシステム工程に関するものである。
【背景技術】
【０００２】
従来、装置情報をＨＴＭＬ及びＨＴＴＰを用いて外部に送信する情報通信装置があった（例えば、特許文献１）。
【０００３】
その他の方法として、従来の技術を、図２を用いて説明する。
【０００４】
従来、装置情報をネットワークに取り出すためには、登録データ２０１をエクスポートフォーマット処理部２０２でエクスポートフォーマット形式に変更し、データフォーマット入出力I/F処理部２０４を介してHTMLデータ２０５とフォーマット相互変換処理部にデータが送られる。
【０００５】
HTMLデータ２０５とフォーマット相互変換処理部では、送られてきたエクスポートフォーマット形式をHTMLデータ形式に変換し、HTTP処理部２０６へ送られる。
【０００６】
HTTP処理部２０６では、HTTP(Hyper Text Transport Protocol)の通信方式に沿った通信プロトコルを行い、２０７ネットワークインタフェース処理部へ送られる。
【０００７】
２０７ネットワークインタフェース処理部では、送られてきたHTTPデータをネットワークインタフェースの通信方式に沿ったプロトコルに変換してネットワーク２０８にデータを送出する。
【０００８】
また、ネットワークより送られてくる装置情報を装置に登録するためには、ネットワーク２０８から受信したデータのプロトコルをネットワークインタフェース処理部２０７で解析し、HTTP処理部２０６へ送られる。
【０００９】
HTTP処理部２０６では、２０７より送られてきたデータをHTTP(Hyper Text Transport Protocol)の通信方式に沿った通信プロトコルとして解析し、HTMLデータとしてHTMLデータ２０５とフォーマット相互変換処理部へ送られる。
【００１０】
HTMLデータ２０５とフォーマット相互変換処理部では、HTTP処理部２０６より送られてきたHTMLデータをインポートデータ形式に変換し、データフォーマット入出力I/F処理部２０４を介してインポートフォーマット処理部２０３へ送られる。
【００１１】
インポートフォーマット処理部２０３では、２０５より送られてきたインポートデータを解析し、登録データ２０１に登録する。
【特許文献１】特開2004-259222号公報
【発明の開示】
【発明が解決しようとする課題】
【００１２】
しかしながら、従来の技術では、ネットワークインタフェースを持つ装置であれば装置情報をインポート・エクスポート出来たが、ネットワークインタフェースを持たない装置の場合、装置の登録データをインポート・エクスポート出来ないために、装置のユーザが入力した登録情報のバックアップや、複数の装置間の登録データを同一にする事が困難であった。
【００１３】
本発明によれば、前記欠点を克服し、ネットワークインタフェースがなく、ローカルインタフェースしか持たない装置でも、複数の装置間で登録データを同一にでき、装置のユーザが入力した登録データをバックアップ可能となる。
【００１４】
また、ネットワークインタフェースとローカルインタフェースの両方を持っている装置ではインタフェースを選ばずに利用環境に沿った運用が可能となる。
【００１５】
さらに、装置の必要なメモリやプログラム保存領域等のリソースも少なくてよいという効果もある。
【課題を解決するための手段】
【００１６】
上記目的を達するため、本出願に係る発明は、PC（Personal Computer）と、１対１で接続可能なインタフェース持ち、前記インタフェースを用いてファイルの読み書きが可能な情報通信装置において、前記PCからのファイル処理要求に対して、ファイル名取得要求かファイル情報取得要求かファイルに対するアクセス要求かを判断するファイル処置判断手段と、前記PCに対して常に固定のファイル名を見せるためのファイル名返却手段と、前記PCに対して、常に固定のファイル情報を見せるためのファイル情報返却手段と、前記情報通信装置の登録情報を共通フォーマットに変換する共通フォーマット変換手段と、
前記共通フォーマットを前記インタフェースで出力可能な形式に変換するインタフェース変換手段１と、前記インタフェースより入力された形式を前記情報通信装置の共通フォーマットに変換するインタフェース変換手段２と、前記共通フォーマットの内容を解析し、前記情報通信装置に登録するための登録手段を有することにより、
ネットワークインタフェースがなく、ローカルインタフェースしか持たない装置でも、複数の装置間で登録データを同一にでき、装置のユーザが入力した登録データをバックアップ可能となり、また、ネットワークインタフェースとローカルインタフェースの両方を持っている装置ではインタフェースを選ばずに利用環境に沿った運用が可能となり、さらに、装置の必要なメモリやプログラム保存領域等のリソースも少なくてよいという作用がある。
【発明の効果】
【００１７】
以上説明したように、本発明によれば、ネットワークインタフェースがなく、ローカルインタフェースしか持たない装置でも、複数の装置間で登録データを同一にでき、装置のユーザが入力した登録データをバックアップ可能となり、また、ネットワークインタフェースとローカルインタフェースの両方を持っている装置ではインタフェースを選ばずに利用環境に沿った運用が可能となり、さらに、装置の必要なメモリやプログラム保存領域等のリソースも少なくてよいという効果がある。
【発明を実施するための最良の形態】
【００１８】
（実施例１）
本発明の一実施例を、図面を参照しながら説明する。
【００１９】
情報通信装置１００は、ＣＰＵ１０１と、ＲＯＭ１０２と、ＲＡＭ１０３と、操作表示部１０４と、ネットワークI/F１０５と、USB I/F１０６を有し、バス１０９を介して接続されている。
【００２０】
ＣＰＵ１０１は、システム制御部であり、情報通信装置１００の全体を制御する。
【００２１】
ＲＯＭ１０２は、ＣＰＵ１０１の制御プログラムを格納している。なお、上記制御プログラムは、以下に説明する上記実施例を実行する制御プログラムである。
【００２２】
ＲＡＭ１０３は、ＳＲＡＭ、ＤＲＡＭ等で構成され、プログラム制御変数等を格納するものである。また、情報通信装置１００の使用者が操作表示部１０４を用いて登録した設定値や、情報通信装置１００の管理データ等や、各種ワーク用バッファも、ＲＡＭ１０３に格納される。
【００２３】
操作表示部１０４は、情報通信装置１００の使用者が各種登録時に用いるユーザインタフェースである。
【００２４】
ネットワークインタフェース１０５は、ネットワーク１０７を介して、本発明で利用する登録データの入出力を行うためのインタフェースである。
【００２５】
USBインタフェース１０６は、USB１０８を介して、本発明で利用する登録データの入出力を行うためのインタフェースである。
【００２６】
本発明の処理３００について説明する。
【００２７】
USB３１３からファイル名の情報を取得する場合、USB I/F処理部がUSB通信方式に沿ったプロトコルを解析しデータを受信して、ファイルのR/W・ファイル名・属性取得判断部３０８に送る。
【００２８】
ファイルのR/W・ファイル名・属性取得判断部３０８はUSB I/F処理部３１１から受け取ったデータを解析した結果、ファイル名取得であるのでファイル名取得の要求をファイル名・属性取得処理部３１４に送る。
【００２９】
ファイル名・属性取得処理部３１４はファイル名を３１５の登録エリアから読み出し、ファイルのR/W・ファイル名・属性取得判断部３０８に読み出したデータを送る。
【００３０】
ファイルのR/W・ファイル名・属性取得判断部３０８は、受け取ったファイル名をUSB I/F処理部３１１へ送る。
【００３１】
USB I/F処理部３１１は受け取ったファイル名をUSB通信方式に従ったプロトコルでUSB３１３に送ることにより実現する。
【００３２】
USB３１３からファイル属性の情報を取得する場合、USB I/F処理部がUSB通信方式に沿ったプロトコルを解析しデータを受信して、ファイルのR/W・ファイル名・属性取得判断部３０８に送る。
【００３３】
ファイルのR/W・ファイル名・属性取得判断部３０８はUSB I/F処理部３１１から受け取ったデータを解析した結果、ファイル属性取得であるのでファイル情報取得の要求をファイル名・属性取得処理部３１４に送る。
【００３４】
ファイル名・属性取得処理部３１４はファイル属性を３１５の登録エリアから読み出し、ファイルのR/W・ファイル名・属性取得判断部３０８に読み出したデータを送る。
【００３５】
ファイルのR/W・ファイル名・属性取得判断部３０８は、受け取ったファイル属性をUSB I/F処理部３１１へ送る。
【００３６】
USB I/F処理部３１１は受け取ったファイル属性をUSB通信方式に従ったプロトコルでUSB３１３に送ることにより実現する。
【００３７】
USB３１３から登録データの情報を取得する場合、USB I/F処理部がUSB通信方式に沿ったプロトコルを解析しデータを受信して、ファイルのR/W・ファイル名・属性取得判断部３０８に送る。
【００３８】
ファイルのR/W・ファイル名・属性取得判断部３０８はUSB I/F処理部３１１から受け取ったデータを解析した結果、登録データファイルの読み込みであるので登録データファイル取得の要求をUSBデータ・共通フォーマット相互変換処置部３０６に送る。
【００３９】
USBデータ・共通フォーマット相互変換処置部３０６は受け取った登録データファイル取得の要求を共通データフォーマット入出力I/F３０４を介してエクスポートフォーマット処理部３０３へ送る。
【００４０】
エクスポートフォーマット処理部３０３は、USBからの要求かネットワークからの要求かを区別することなく、登録データを３０１より読み出し、共通フォーマットのデータ形式でエクスポートデータを作成し、共通データフォーマット入出力I/F３０４を介してUSBデータ・共通フォーマット相互変換処理部３０６へ送る。
【００４１】
USBデータ・共通フォーマット相互変換処理部３０６は、受け取った共通データフォーマットをUSBデータ形式に変換し、ファイルのR/W・ファイル名・属性取得判断部３０８を介してUSB I/F処理部３１１へ送る。
【００４２】
USB I/F処理部３１１は、受け取ったUSBデータ形式のデータをUSB通信方式に沿ったプロトコルでUSB３１３に送ることにより実現する。
【００４３】
USB３１３から登録データを登録する場合、USB I/F処理部がUSB通信方式に沿ったプロトコルを解析しデータを受信して、ファイルのR/W・ファイル名・属性取得判断部３０８に送る。
【００４４】
ファイルのR/W・ファイル名・属性取得判断部３０８はUSB I/F処理部３１１から受け取ったデータを解析した結果、登録データファイルの書き込みであるので登録データファイル登録の要求をUSBデータ・共通フォーマット相互変換処置部３０６に送る。
【００４５】
USBデータ・共通フォーマット相互変換処置部３０６では、受け取ったUSB形式でのデータを共通フォーマット形式に変換し、共通データフォーマット入出力I/F３０４を介して、インポートフォーマット処理部３０２へ送る。
【００４６】
インポートフォーマット処理部３０２は、USBからの要求かネットワークからの要求かを区別することなく、受け取った共通データフォーマットを解析し、３０１に装置データとして登録する処理を行う事により実現する。
【００４７】
一方、ネットワーク３１２から登録データの情報を取得する場合、ネットワーク I/F処理部３０９がネットワーク通信方式に沿ったプロトコルを解析しデータを受信して、HTTP処理部３０７へ送る。
【００４８】
HTTP処理部３０７は、受け取ったデータが登録データの要求である事を判断し、HTMLデータ・共通フォーマット相互変換処理部３０５、共通データフォーマット入出力I/F３０４を介して、エクスポートフォーマット処理部３０３にデータのエクスポート要求を送る。
【００４９】
エクスポートフォーマット処理部３０３は、USBからの要求かネットワークからの要求かを区別することなく、登録データを３０１より読み出し、共通フォーマットのデータ形式でエクスポートデータを作成し、共通データフォーマット入出力I/F３０４を介してHTMLデータ・共通フォーマット相互変換処理部３０５へ送る。
【００５０】
HTMLデータ・共通フォーマット相互変換処理部３０５は、受け取った共通データフォーマットをHTMLデータ形式に変換し、HTTP処理部３０７、ネットワークI/F処理部３０９を介してネットワーク３１２へ登録データを送ることにより実現する。
【００５１】
また、ネットワーク３１２から登録データを登録する場合、ネットワークI/F処理部３０９がネットワーク通信方式に沿ったプロトコルを解析しデータを受信して、HTTP処理部３０７に送る。
【００５２】
HTTP処理部３０７は、HTTPプロトコルからHTMLデータへデータを変換し、HTMLデータ・共通フォーマット相互変換処理部３０５へ登録データを送る。
【００５３】
HTMLデータ・共通フォーマット相互変換処置部３０５では、受け取ったHTML形式でのデータを共通フォーマット形式に変換し、共通データフォーマット入出力I/F３０４を介して、インポートフォーマット処理部３０２へ送る。
【００５４】
インポートフォーマット処理部３０２は、USBからの要求かネットワークからの要求かを区別することなく、受け取った共通データフォーマットを解析し、３０１に装置データとして登録する処理を行う事により実現する。
【００５５】
（実施例２）
前記実施例では、各工程がＲＯＭに格納されていたが、格納する記憶媒体は他にフロッピー（登録商標）ディスク、ＣＤ−ＲＯＭ、ハードディスク、メモリカード、光磁気ディスクなどを用いることが出来る。
【００５６】
また、記憶エリアとしてもＲＡＭも書き換え可能な記録媒体として、フロッピー（登録商標）ディスク、ハードディスク、メモリカードなどを用いる事が出来る。
【図面の簡単な説明】
【００５７】
【図１】本発明に係る情報通信装置を示す図である。
【図２】従来の処理を示した図である。
【図３】本発明の処理を示した図である。
【図１】
2006285737.tif 000003
【図２】
2006285737.tif 000004
【図３】
2006285737.tif 000005